(57)【特許請求の範囲】
【請求項１】
撮像装置であって、
撮像手段と、
前記撮像装置の位置情報を取得する取得手段と、
前記取得手段により取得された位置情報を記憶する記憶手段と、
前記撮像装置の撮影方向を検知する検知手段と、
前記取得手段により取得される現在の位置情報と、前記検知手段により検知される現在の撮影方向と、前記記憶手段に記憶されている位置情報とに基づいて、前記撮像手段で撮像している画像中における前記撮像装置が過去にあった位置を示す情報を、該撮影している画像とともに表示手段に表示するように制御する表示制御手段とを有することを特徴とする撮像装置。
【請求項２】
前記記憶手段は複数の位置情報を記憶し、
前記表示制御手段は、前記記憶手段に記憶されている複数の位置情報に基づいて、前記撮像している画像中における前記撮像装置が過去にあった複数の位置を示す情報を表示するように制御することを特徴とする請求項１に記載の撮像装置。
【請求項３】
前記記憶手段は、前記複数の位置情報を、それぞれの位置情報を取得した際の時間情報と関連付けて記憶し、
前記表示手段は、前記記憶手段に記憶されている時間情報に基づいて、前記撮像している画像中における前記撮像装置が過去にあった複数の位置を示すとともに、それぞれに位置に前記撮像装置がどの順番で存在したかを示す情報を表示するように制御することを特徴とする請求項２に記載の撮像装置。
【請求項４】
前記表示制御手段は、前記記憶手段に記憶されている複数の位置情報及びそれぞれの時間情報に基づいて、前記撮像している画像中における前記撮像装置における前記撮像装置の過去の経路を表示するように制御することを特徴とする請求項３に記載の撮像装置。
【請求項５】
前記表示制御手段は、前記経路としての経路図を表示するように制御することを特徴とする請求項４に記載の撮像装置。
【請求項６】
前記表示制御手段は、前記経路として、前記撮像装置が過去にあった複数の位置をそれぞれの時間情報に基づく順番で線分で結んだ図を表示するように制御することを特徴とする請求項４または５に記載の撮像装置。
【請求項７】
前記表示制御手段は、前記撮像手段で撮像している画像中における前記撮像装置が過去にあった位置を示す情報を、前記撮像手段で撮像している画像に重畳して表示するように制御することを特徴とする請求項１乃至６の何れか１項に記載の撮像装置。
【請求項８】
前記表示制御手段は、前記記憶手段に記憶されている位置情報が示す位置が前記撮像手段で撮像している画像中に含まれない場合には警告を表示するように制御することを特徴とする請求項１乃至７の何れか１項に記載の撮像装置。
【請求項９】
前記表示制御手段は、前記記憶手段に記憶されている位置情報が示す位置が前記撮像手段で撮像している画像中に含まれない場合には、前記撮像装置をどの向きに向ければ、前記撮像手段で撮像している画像中における前記撮像装置が過去にあった位置を示す情報が表示されるかのガイドを表示するように制御することを特徴とする請求項１乃至８の何れか１項に記載の撮像装置。
【請求項１０】
前記位置情報は、緯度、経度を示す情報であることを特徴とする請求項１乃至９の何れか１項に記載の撮像装置。
【請求項１１】
前記取得手段は、衛星から受信された電波に基づいて前記位置情報を取得することを特徴とする請求項１乃至１０の何れか１項に記載の撮像装置。
【請求項１２】
前記位置情報はＧＰＳ情報であることを特徴とする請求項１乃至１１の何れか１項に記載の撮像装置。
【請求項１３】
撮像手段を有する撮像装置の制御方法であって、
前記撮像装置の位置情報を取得する取得ステップと、
前記取得ステップにより取得された位置情報を記憶手段に記憶する記憶ステップと、
前記撮像装置の撮影方向を検知する検知ステップと、
前記取得ステップにより取得される現在の位置情報と、前記検知ステップにより検知される現在の撮影方向と、前記記憶手段に記憶されている位置情報とに基づいて、前記撮像手段で撮像している画像中における前記撮像装置が過去にあった位置を示す情報を、該撮影している画像とともに表示手段に表示するように制御する表示制御ステップとを有することを特徴とする撮像装置の制御方法。
【請求項１４】
コンピュータを、請求項１乃至１２の何れか１項に記載された撮像装置の各手段として機能させるためのプログラム。
【請求項１５】
コンピュータを、請求項１乃至１２の何れか１項に記載された撮像装置の各手段として機能させるためのプログラムを格納したコンピュータが読み取り可能な記憶媒体。
【発明の詳細な説明】
【技術分野】
【０００１】
本発明は、特に、ＧＰＳ機能を搭載した撮像装置、撮像装置の制御方法、プログラム及び記憶媒体に関するものである。
【背景技術】
【０００２】
近年、ＧＰＳ情報を取得する手段を備え、現在地から予め定められた目的地までの経路を示す地図等、様々な情報を表示することができるディジタルカメラ、携帯電話機、ＰＤＡ（Ｐｅｒｓｏｎａｌ  Ｄｉｇｉｔａｌ  Ａｓｓｉｓｔａｎｔ）等が普及している。
【０００３】
特許文献１に記載の撮像装置では、撮影位置を表す位置情報と対応付けて、撮影位置における推奨構図の画像を表す複数の推奨構図データを記憶している。そして、ＧＰＳの現在位置情報に基づいて推奨構図データを検索し、該当する推奨構図データがある場合には、撮像手段により生成される画像データと重畳表示する。これにより、推奨構図画像と一致させた画像を生成することができるようにしている。
【０００４】
また、特許文献２に記載の技術では、自動車のノーズ等に取付けた撮像カメラで進行方向の景色を撮像し、ナビゲーション情報要素の背景表示について地図画像と実写映像とをセレクタで選択できるようにしている。そして、この背景画像に対して画像合成部によりナビゲーション情報要素を重ねて表示器に表示している。
【先行技術文献】
【特許文献】
【０００５】
【特許文献１】特開２００２−１０１１４号公報
【特許文献２】特開平１１−１０８６８４号公報
【発明の概要】
【発明が解決しようとする課題】
【０００６】
しかしながら上記従来技術では、撮像手段を備えた機器がどのような移動経路をたどったかを撮影中にユーザーが迅速に知ることができない。そのため、例えば、ユーザーは、記録した画像がそれぞれどの位置で撮影されたかを、現在撮影している映像と関連付けて知ることができないといった問題が生じていた。
【０００７】
本発明は前述の問題点に鑑み、どのような移動経路をたどったかを、現在撮影している映像と関連付けて表示することができるようにすることを目的としている。
【課題を解決するための手段】
【０００８】
本発明の撮像装置は、撮像装置であって、撮像手段と、前記撮像装置の位置情報を取得する取得手段と、前記取得手段により取得された位置情報を記憶する記憶手段と、前記撮像装置の撮影方向を検知する検知手段と、前記取得手段により取得される現在の位置情報と、前記検知手段により検知される現在の撮影方向と、前記記憶手段に記憶されている位置情報とに基づいて、前記撮像手段で撮像している画像中における前記撮像装置が過去にあった位置を示す情報を、該撮影している画像とともに表示手段に表示するように制御する表示制御手段とを有することを特徴とする。
【発明の効果】
【０００９】
本発明によれば、それまでにどのような移動経路をたどったかを、現在撮影している映像に重ねて表示することができる。
【図面の簡単な説明】
【００１０】
【図１】実施形態に係るディジタルカメラの外観構成例を示す図である。
【図２】実施形態に係るディジタルカメラの内部構成例を示すブロック図である。
【図３】位置情報を連続的に記録する処理手順の一例を示すフローチャートである。
【図４】位置情報を映像に重ねて表示する手順の一例を示すフローチャートである。
【図５】ディジタルカメラをユーザーが使用している態様の一例を示す図である。
【図６】撮影時に位置情報を記録する処理手順の一例を示すフローチャートである。
【図７】代表画像を映像に重ねて表示する手順の一例を示すフローチャートである。
【図８】ディジタルカメラをユーザーが使用している態様の一例を示す図である。
【図９】ディジタルカメラをユーザーが使用している態様の一例を示す図である。
【発明を実施するための形態】
【００１１】
以下、図面を参照しながら本発明の好適な実施形態について説明する。
（第１の実施形態）
図１は、本実施形態に係る撮像装置の一例としてのディジタルカメラ１００の外観構成例を示す図である。
図１において、表示部１０１は画像や各種情報を表示する表示部である。シャッターボタン１０２は撮影指示を行うためのボタンである。モードダイアル１０３は動作モードを静止画記録モード、動画記録モード、再生モード等のいずれかに切り替えるための操作部材である。また、本実施形態においては、後述する経路表示モードを選択する場合にもこのモードダイアル１０３から切り替える。コネクタ１０４は接続ケーブル１１１とディジタルカメラ１００とを接続するためのものである。
【００１２】
操作部１０５はユーザーからの各種操作を受け付ける各種スイッチ、ボタン、タッチパネル等の操作部材からなる操作部である。コントローラーホイール１０６は操作部１０５に含まれる回転操作可能な操作部材であり、方向ボタンと共に選択項目を指示する際などに使用される。電源スイッチ１０７は、電源オン、電源オフを切り替えるためのスイッチである。
【００１３】
記録媒体１０８は、メモリカードやハードディスク等の記録媒体であり、半導体メモリや磁気ディスク等から構成されている。記録媒体スロット１０９は記録媒体１０８を格納するためのスロットである。記録媒体スロット１０９に記録媒体１０８が格納されると、記録媒体１０８とディジタルカメラ１００との通信が可能となる。蓋１１０は記録媒体スロット１０９の蓋である。
【００１４】
図２は、本実施形態によるディジタルカメラ１００の内部構成例を示すブロック図である。
図２において、撮影レンズ２０１はフォーカスレンズを含むレンズであり、シャッター２０２は絞り機能を備えるシャッターである。撮像部２０３は、光学像を電気信号に変換するＣＣＤやＣＭＯＳ等で構成されている。Ａ／Ｄ変換器２０４は、撮像部２０３から出力されるアナログ信号をデジタル信号に変換するために用いられる。バリア２０５は、ディジタルカメラ１００の撮影レンズ２０１などを覆うことにより、撮影レンズ２０１、シャッター２０２、及び撮像部２０３を含む撮像系の汚れや破損を防止する。
【００１５】
画像処理部２０６は、Ａ／Ｄ変換器２０４又はメモリ制御部２０７から入力されたデータに対し、所定の画素補間、縮小といったリサイズ処理や色変換処理を行う。また、画像処理部２０６は、撮像した画像データを用いて所定の演算処理を行い、得られた演算結果に基づいてシステム制御部２１２が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。さらに、画像処理部２０６は、撮像した画像データを用いて所定の演算処理を行い、得られた演算結果に基づいてＴＴＬ方式のＡＷＢ（オートホワイトバランス）処理も行う。
【００１６】
Ａ／Ｄ変換器２０４から出力されたデータは、画像処理部２０６及びメモリ制御部２０７を介して、或いは、メモリ制御部２０７を介してメモリ２０８に直接書き込まれる。メモリ２０８は、Ａ／Ｄ変換器２０４によりデジタルデータに変換された画像データや、表示部２１０に表示するための画像データを格納する。なお、メモリ２０８は、所定枚数の静止画像データや所定時間の動画像データ及び音声データを格納するのに十分な記憶容量を備えている。また、メモリ２０８は画像表示用のメモリ（ビデオメモリ）を兼ねている。
【００１７】
Ｄ／Ａ変換器２０９は、メモリ２０８に格納されている画像表示用のデータをアナログ信号に変換して表示部２１０に供給する。このように、メモリ２０８に書き込まれた表示用の画像データはＤ／Ａ変換器２０９を介して表示部２１０により表示される。表示部２１０は、ＬＣＤ等の表示器上に、Ｄ／Ａ変換器２０９から出力されたアナログ信号に応じた表示を行う。
【００１８】
不揮発性メモリ２１１は、電気的に消去・記録可能なメモリであり、例えばＥＥＰＲＯＭ等が用いられている。また、不揮発性メモリ２１１には、システム制御部２１２の動作用の定数、プログラム等が記憶されている。ここで、プログラムとは、本実施形態にて後述する各種フローチャートを実行するためのプログラムである。
【００１９】
システム制御部２１２は、ディジタルカメラ１００全体を制御する。前述した不揮発性メモリ２１１に記憶されたプログラムを実行することにより、後述する本実施形態の各処理を実現する。また、システム制御部２１２はメモリ２０８、Ｄ／Ａ変換器２０９、表示部２１０等を制御することにより表示制御も行う。システムメモリ２１３は、例えばＲＡＭが用いられ、システムメモリ２１３には、システム制御部２１２の動作用の定数、変数、不揮発性メモリ２１１から読み出したプログラム等が展開される。
【００２０】
モード切替スイッチ（モードダイアル）１０３、第１シャッタースイッチ２１４、第２シャッタースイッチ２１５、及び操作部１０５はシステム制御部２１２に各種の動作指示を入力するための操作手段である。
【００２１】
第１シャッタースイッチ２１４は、ディジタルカメラ１００に設けられたシャッターボタン１０２の操作途中、いわゆる半押し（撮影準備指示）でＯＮとなり第１シャッタースイッチ信号ＳＷ１を発生する。そして、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ２１５は、シャッターボタン１０２の操作完了、いわゆる全押し（撮影指示）でＯＮとなり、第２シャッタースイッチ信号ＳＷ２を発生する。システム制御部２１２は、第２シャッタースイッチ信号ＳＷ２により、撮像部２０３から画像信号を読み出して記録媒体１０８に画像データを書き込むまでの一連の撮影処理の動作を開始する。
【００２３】
図１に示した操作部１０５の各操作部材は、表示部２１０に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２１０に表示される。利用者は、表示部２１０に表示されたメニュー画面と、４方向ボタンやＳＥＴボタンとを用いて直感的に各種設定を行うことができる。
【００２４】
また、操作部１０５に含まれる図１に示したコントローラーホイール１０６が回転操作されると、操作量に応じて電気的なパルス信号が発生し、このパルス信号に基づいてシステム制御部２１２はディジタルカメラ１００の各部を制御する。このパルス信号によって、コントローラーホイール１０６が回転操作された角度や、何回転したかなどを判定することができる。なお、コントローラーホイール１０６は図１に示した例以外に回転操作が検出できる操作部材であればどのようなものでもよい。例えば、ユーザーの回転操作に応じてコントローラーホイール１０６自体が回転してパルス信号を発生するダイヤル操作部材であってもよい。また、タッチセンサよりなる操作部材で、コントローラーホイール１０６自体は回転せず、タッチホイールなどコントローラーホイール１０６上でのユーザーの指の回転動作などを検出するものであってもよい。
【００２５】
電源制御部２１６は、電池検出回路、ＤＣ−ＤＣコンバータ、通電するブロックを切り替えるスイッチ回路等により構成され、電池の装着の有無、電池の種類、電池残量の検出を行う。また、電源制御部２１６は、その検出結果及びシステム制御部２１２の指示に基づいてＤＣ−ＤＣコンバータを制御し、必要な電圧を必要な期間、記録媒体１０８を含む各部へ供給する。
【００２６】
電源部２１７は、アルカリ電池やリチウム電池等の一次電池やＮｉＣｄ電池やＮｉＭＨ電池、Ｌｉ電池等の二次電池、ＡＣアダプター等からなる。インターフェース２１８は、メモリカード等の記録媒体１０８とのインターフェースである。
【００２７】
アンテナ２１９は、ＧＰＳ人工衛星からの航法電波を受信する。ＧＰＳ部２２０は、アンテナ２１９を介して受信した電波から自己の位置を演算し、ＧＰＳ情報として出力する。方位角センサー２２１は、加速度計測、地磁気計測、ジャイロ計測等の手段により、基準となる方向に対する向き（方向）を検知するセンサーである。
【００２８】
図３は、本実施形態に係るディジタルカメラ１００が位置情報を連続的に記録する処理手順の一例を示すフローチャートである。なお、図３に示す各処理はシステム制御部２１２の制御により行われる。
まず、本実施形態に係るディジタルカメラ１００は、電源オン若しくはスタンバイか、電源オフかを判定する（Ｓ３０１）。この判定の結果、電源オン若しくはスタンバイである場合はＳ３０２に進み、ＧＰＳ部２２０によりアンテナ２１９を介してＧＰＳ情報を取得する（Ｓ３０２）。次に、不図示の計時部より現在の時間情報を取得し、前記ＧＰＳ情報とともにメモリ２０８に記録する（Ｓ３０３）。
【００２９】
図４は、本実施形態に係るディジタルカメラ１００が、現在の位置に基づいて、連続的に記録された位置情報を現在撮影している映像に重ねて表示部２１０に識別可能に表示する処理手順の一例を示すフローチャートである。なお、図４に示す各処理はシステム制御部２１２の制御により行われる。
【００３０】
本実施形態に係るディジタルカメラ１００は、ユーザーの操作により経路表示モードが選択されているか否かを判定する（Ｓ４０１）。この判定の結果、経路表示モードに選択されている場合はＳ４０２に進み、移動経路図を作成する（Ｓ４０２）。ここで移動経路図とは、連続的に記録された位置情報を取得された時間の順に描画領域に線分で結んで得られた図をいう。
【００３１】
本実施形態に係るディジタルカメラ１００は、連続的に記録された位置情報から移動経路図を作成する経路作成機能を備えている。この経路作成機能はシステム制御部２１２が不揮発性メモリ２１１に格納されたプログラムをシステムメモリ２１３に展開して実行することにより実現される。
【００３２】
この経路作成機能について説明する。まず、システム制御部２１２は、図３のＳ３０３においてメモリ２０８に時間情報とともに蓄積された位置情報（ＧＰＳ情報）を、取得された時間の順に画像処理部２０６に送る。システム制御部２１２の制御により画像処理部２０６は、順次送られてくる位置情報に基づいて、所定の描画領域にプロットする。例えば、所定の描画領域が水平描画領域である場合は、「緯度、経度、高度」よりなる位置情報について、描画領域の基準点に対応する「緯度、経度」の値、及び描画領域の縮尺より描画領域上の位置を算出しプロットする。この場合は、描画領域が水平であることから「高度」の値はプロット位置算出に用いられないことになる。システム制御部２１２は、蓄積された位置情報が全てプロットのために使用されると、処理を終了する。なお、かかる移動経路図の作成は、電子地図作成等の技術分野における当業者には周知の技術で実現可能であって、例えば位置情報の取得間隔によりプロットが離間的である場合にプロット間を線分で結んで描画する等の処理も通常に行われる。
【００３３】
次に、Ｓ４０２で作成した移動経路図を視点移動する（Ｓ４０３）。具体的な手順としてはまず、ＧＰＳ情報より現在のディジタルカメラ１００の位置情報を取得し、方位角センサー２２１により現在のディジタルカメラ１００の向き（具体的には撮影レンズ２０１の向撮影方向）の情報を取得する。さらに、ズーム比など撮影に関する設定情報を取得する。そして、これらの情報に基づき、移動経路図について、現在の位置・向き・ズーム比率を視点としたものに視点移動する。ここで視点移動とは、三次元仮想空間内の基準面にＳ４０２で作成した移動経路図を投影し、現在の位置・向き・ズーム比率と等価の仮想カメラの視点により再レンダリングすることをいう。このとき、仮想カメラは、三次元グラフィック技術において、特定の視点を仮想のカメラとして見立てたものである。
【００３４】
そして、視点移動した移動経路図を、前述した手順により生成された現在撮影している映像に重ねて、表示部２１０に表示するように制御する（Ｓ４０４）。
【００３５】
図５は、本実施形態に係るディジタルカメラ１００をユーザーが使用している態様の一例を示す図である。
図５において、ディジタルカメラ１００の表示部１０１には、現在撮影している映像５０１に重なるように、メモリ２０８に記憶されているＧＰＳ部２２０により取得したＧＰＳ情報が示す位置５０２、移動経路５０３がユーザーに識別可能に表示されている。
【００３６】
以上のように本実施形態によれば、それまでにたどった経路が現在撮影している映像と重なって表示される。このため、ユーザーに対して、それまでどの位置から撮影されたか（または、撮影が試みられたか）を、被写体や背景との関連で把握しやすく提示することができる。また、光の当たり方や背景との位置関係も考慮し、どの位置から被写体を撮像するかを適切に判断することができる。
【００３７】
（第２の実施形態）
以下、本発明の第２の実施形態について説明する。
本実施形態に係るディジタルカメラは、ユーザーによりシャッターボタンが押下されて画像が撮影されたとき、その画像データをＧＰＳ情報で取得した情報及び時間情報と関連付けて記憶する。そして、そのように記憶されている情報が示す位置及びその画像を、表示部にユーザーに識別可能に表示する。なお、本実施形態に係るディジタルカメラの構成は図１及び図２と同様であるため、説明は省略する。
【００３８】
図６は、本実施形態に係るディジタルカメラ１００が、ユーザーの指示を受けて画像を撮影し、その画像データをＧＰＳ部２２０で取得した情報及び時間情報と関連付けて記憶する処理手順の一例を示すフローチャートである。なお、ディジタルカメラ１００が電源オン等である場合に第１の実施形態の図３と同様の処理をしており、さらにユーザーにより撮影指示がされたときには、図３の処理とともに図６の処理も行う。また、図６に示す各処理はシステム制御部２１２の制御により行われる。
【００３９】
本実施形態に係るディジタルカメラ１００は、ユーザーによりシャッターボタン１０２が押下され、撮影の指示がなされたか否かを判定する（Ｓ６０１）。具体的には、第２シャッタースイッチ信号ＳＷ２がシステム制御部２１２に入力されたか否かを判定する。この判定の結果、撮影の指示がなされた場合は、前述した手順により画像を撮影し、その画像データをメモリ２０８に一旦記憶する（Ｓ６０２）。そして、ＧＰＳ部２２０によりＧＰＳ情報を取得する（Ｓ６０３）。次に、不図示の計時部により時間情報を取得する（Ｓ６０４）。そして、Ｓ６０２で得られた画像データ、Ｓ６０３で得られたＧＰＳ情報とともにメモリ２０８に時間情報を記録する（Ｓ６０５）。
【００４０】
図７は、本実施形態に係るディジタルカメラ１００が、現在の位置に基づいて、前記記録された位置情報及び画像情報を現在撮影している映像に重ねて表示部２１０に識別可能に表示する処理手順の一例を示すフローチャートである。また、図７に示す各処理はシステム制御部２１２の制御により行われる。
まず、ユーザーの操作により経路表示モードが選択されているか否かを判定する（Ｓ７０１）。この判定の結果、経路表示モードに選択されている場合はＳ７０２に進み、撮影画像マップを作成する（Ｓ７０２）。ここで撮影画像マップとは、前述の移動経路図における位置情報のプロットに代えてその位置で撮影された撮影画像のサムネイルを配したものである。具体的には、システム制御部２１２が、メモリ２０８に時間情報とともに蓄積された位置情報を、取得された時間の順に画像処理部２０６に送る。そして、当該位置情報とともにメモリ２０８に記憶された画像データに係るサムネイル画像を所定の描画領域に配置する。なお、第１の実施形態で説明した経路作成機能と同様に、電子地図作成等の技術分野における当業者には周知の技術で実現可能である。
【００４１】
次に、Ｓ７０２で作成した撮影画像マップを視点移動する（Ｓ７０３）。具体的な手順としてはまず、ＧＰＳ情報より現在のディジタルカメラ１００の位置情報を取得し、方位角センサー２２１より現在のディジタルカメラ１００の向き（具体的には撮影レンズ２０１の撮影方向）の情報を取得する。さらに、ズーム比など撮影に関する設定情報を取得する。そして、これらの情報に基づき、撮影画像マップについて、現在の位置・向き・ズーム比率を視点としたものに視点移動する。そして、視点移動した撮影画像マップを、現在撮影している映像に重ねて表示部２１０に表示するように制御する（Ｓ７０４）。
【００４２】
以上のように本実施形態によれば、それまでにユーザーの撮影指示により撮影された画像が、現在撮影している映像と重なって表示される。このため、ユーザーは、それまでにどの画像がどの位置から撮影されたかを、被写体や背景との関連で把握しやすくすることができる。
【００４３】
（第３の実施形態）
以下、本発明の第３の実施形態について説明する。
本実施形態に係るディジタルカメラは、ＧＰＳ部で取得したＧＰＳ情報を時間情報と関連付けて記憶し、その記憶された情報が示す位置を、撮影している映像上に、当該情報が取得された時間を識別可能に表示する。なお、本実施形態に係るディジタルカメラの構成は図１及び図２と同様であり、撮影範囲内である場合の位置情報を映像とともに表示する手順については、表示態様以外は第１の実施形態と同様であるため、説明は省略する。
【００４４】
図８は、本実施形態に係るディジタルカメラ１００をユーザーが使用している態様の一例を示す図である。
図８において、ディジタルカメラ１００の表示部１０１には、現在撮影している映像８０１に重なるように、メモリ２０８に記憶されているそれまでにＧＰＳ部２２０で取得したＧＰＳ情報が示す位置８０２が表示される。このとき、当該ＧＰＳ情報が取得された時間に基づいてユーザーが識別可能に表示される。図８に示す例では、具体的には、ＧＰＳ情報が取得された時間が過去であるほど、位置８０２の透過率が高くなるように表示する。
【００４５】
このように本実施形態によれば、それまでにたどった経路を現在撮影している映像に重ねて表示する際に、たどった時間によって異なる表示態様にして提示することが可能となる。たどった時間が「現在」に近いと、すでに撮影した（または、撮影を試みた）ことはユーザーが新たな撮影位置を探す上で重要な考慮要素となる。一方、時間が経過し、たどった時間が「現在」から遠ざかると、周辺状況の変化等も勘案し、新たな撮影位置を探す上で、すでに撮影した（または、撮影を試みた）ことの重要性が低下する。このように、本実施形態では、ユーザーが現在撮影している映像との関連で撮影位置を検討するために、より一層有利である。
【００４６】
（第４の実施形態）
以下、本発明の第４の実施形態について説明する。
本実施形態に係るディジタルカメラは、第１〜第３の何れかの実施形態に示した機能に加えて、ＧＰＳ部で取得したＧＰＳ情報を時間情報と関連付けて記憶し、その記憶された情報が示す位置が現在の撮影範囲内にない場合は、表示部１０１上に警告表示する。なお、本実施形態に係るディジタルカメラの構成は図１及び図２と同様であり、撮影範囲内である場合の位置情報を映像とともに表示する手順については第１の実施形態等と同様であるため、説明は省略する。
【００４７】
図９は、本実施形態に係るディジタルカメラ１００をユーザーが使用している態様の一例を示す図である。
図９において、ディジタルカメラ１００の表示部１０１には、撮影している映像９０１に重なるように、警告表示９０２が表示されている。たどった経路が撮影範囲内にあるか否かの判断については、ＧＰＳ部２２０により取得される現在のＧＰＳ情報及び方位角センサー２２１による検出結果に基づいて判断される。
【００４８】
また、本実施形態に係るディジタルカメラ１００は、メモリ２０８に記憶された情報が示す位置が現在の撮影範囲内にないとき、表示部１０１上に、さらにディジタルカメラ１００をどの向きに向けたときに位置情報が表示されるかを示す表示を付加する。図９に示すように、ディジタルカメラ１００の表示部１０１には、どの向きに向けたときに位置情報（経路）が表示されるかのガイド表示９０３がユーザーに識別可能に表示されている。
【００４９】
以上のように本実施形態によれば、現在の撮影範囲内にそれまでにたどった経路がないことをユーザーに提示することが可能となる。ユーザーは現在の撮影範囲内にすでに撮影した（または、撮影を試みた）位置が無いことを確認できるため、現在撮影している映像との関連で新たな撮影位置を検討するのに、より一層有利である。また、ユーザーはディジタルカメラをどの向きに向けたときに位置情報（経路）が表示されるかが分かるため、現在撮影している映像との関連で新たな撮影位置を検討するのに、より一層有利である。
【００５０】
（その他の実施形態）
上述した各実施形態において、システム制御部２１２の制御は１つのハードウェアが行ってもよいし、複数のハードウェアが処理を分担することにより、装置全体の制御を行ってもよい。また、本発明についてその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５１】
また、上述した実施形態においては、本発明をディジタルカメラに適用した場合を例にして説明したが、これはこの例に限定されず、携帯できる撮像装置に適用可能である。
【００５２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶したコンピュータ読み取り可能な記憶媒体は本発明を構成することになる。
【符号の説明】
【００５３】
２０８  メモリ
２１０  表示部
２１２  システム制御部
２２０  ＧＰＳ部
２２１  方位角センサー
【図１】
0005562208.tif 000002
【図２】
0005562208.tif 000003
【図３】
0005562208.tif 000004
【図４】
0005562208.tif 000005
【図５】
0005562208.tif 000006
【図６】
0005562208.tif 000007
【図７】
0005562208.tif 000008
【図８】
0005562208.tif 000009
【図９】
0005562208.tif 000010